(57)【特許請求の範囲】
【請求項１】
箱体の内部上方の前後に、間隔をおいて第１ガイドローラーと第２ガイドローラーとが対向して配設され、これら第１ガイドローラーと第２ガイドローラーの上面間に幅広の帯体が緩く懸け渡され、帯体が両ガイドローラー間で垂下されて形成された空間に、本の投入窓口より投入された本が受け入れられるようにされたブックポストにおいて、
前記箱体の内部下方の前部に、前記帯体の繰出し装置と巻込み装置とが併設され、同後部に、第３ガイドローラーが設けられ、
前記帯体が、前記繰出し装置から前記第３ガイドローラー、前記第２ガイドローラー、前記第１ガイドローラーを順次巡って、前記巻込み装置にまで懸け渡され、
前記空間内の前後に所定の間隔をおかれた２つの鉛直面内において、本の所定の受入れ高さを検出する第１高さ検出器と第２高さ検出器とが、第１高さ検出器が本の投入窓口に近い後方に、第２高さ検出器が本の投入窓口より遠い前方になるようにして、それぞれ設けられ、
前記第１高さ検出器が、本の所定の受入れ高さを検出して第１回目の出力信号を出力したとき、前記繰出し装置が前記帯体を所定長繰り出し、前記第１高さ検出器が、本の所定の受入れ高さを再度検出して第２回目の出力信号を出力したとき、前記繰出し装置が前記帯体を所定長繰り出すとともに、前記巻込み装置が前記帯体を所定長巻き込むように前記繰出し装置および前記巻込み装置を制御し、かつ前記第１高さ検出器および前記第２高さ検出器が、本の所定の受入れ高さを検出してともに出力信号を出力したとき、満杯信号を出力する制御装置が設けられたことを特徴とするブックポスト。
【請求項２】
前記繰出し装置と前記第３ガイドローラーとの間に懸け渡された前記帯体の上方に、ローラー式帯体支持装置が設けられ、該ローラー式帯体支持装置により、前記第１ガイドローラーと前記第２ガイドローラーとの間に懸け渡されて垂下された前記帯体を支えることができるようにされたことを特徴とする請求項１記載のブックポスト。
【請求項３】
前記第１ガイドローラーと前記巻込み装置との間に懸け渡された前記帯体が、前記第１ガイドローラーとともに前方に倒されて、受け入れられた本を搬出することができるようにされたことを特徴とする請求項１または請求項２記載のブックポスト。
【請求項４】
前記受け入れられた本の搬出後、本の投入窓口より投入された本が受け入れられるようにする原点位置に前記帯体を戻す手段が、前記制御装置に設けられたことを特徴とする請求項３記載のブックポスト。
【請求項５】
前記箱体は、底部に車輪を有する移動式箱体とされたことを特徴とする請求項１ないし請求項４のいずれかに記載のブックポスト。
【発明の詳細な説明】
【０００１】
【発明の属する技術分野】
本発明は、主として公共図書館において用いられるブックポストに関し、特にスペースを要しないで受入れ容量を大きくでき、かつ、本の損傷を少なくできるブックポストに関する。
【０００２】
【従来技術、発明が解決しようとする課題】
公共図書館において、ブックポストは、図書館が閉館している場合、本の利用者が、本を返却するのに使用される。したがって、夜間あるいは図書館の休館日に利用されるものである。
【０００３】
図１２に図示されるように、本07は、利用者がブックポスト01の窓口03から差し込み（投入し）、ローラー付きガイド04上を滑り自然落下して、箱02の中もしくは囲まれた部屋の中に積み重なる。利用者が差し込む（投入する）ので、窓口03の高さは、８００〜１２００mm程度あり、窓口03から滑り落ちて積み重なるので、片隅に重なり（図１２、図１３参照）、箱02の大きさを、長さ方向に長くしたり、幅を広くしたりしても、受け入れられる量は増大しない。05は開閉扉である。
【０００４】
また、本07が、窓口03からローラー付きガイド04上を滑り落ちて積み重なるとき、本07は損傷を受ける。特に、最初の投入時は、箱02の底06の面までかなりの落下距離があるので、本07が落下のショックで傷害を受け、または、先に落ちた本07と絡み合ったりして、双方の本が損傷を受ける。
【０００５】
損傷を少なくするために、図１４に図示されるように、箱02の底06を、最初は上部に上げておき、本07が投入されて重さがかかると、その重さ分だけ下がるようにしたものもある。しかし、本07の大きさと重量の比は必ずしも一定でないので、底面06が下がり切れないのに、投入口03まで本07が一杯になってしまうことがある（図１５参照）。この場合には、本07の損傷は防げても、本07の受入れ容量は制約される。
【０００６】
本発明は、最小のスペースで、本を損傷させることなく、本の受入れ容量を大きくすることができるブックポストを提供することを課題とする。
【０００７】
【課題を解決するための手段および効果】
本発明は、前記のような課題を解決したブックポストに関わり、その請求項１に記載された発明は、
箱体の内部上方の前後に、間隔をおいて第１ガイドローラーと第２ガイドローラーとが対向して配設され、これら第１ガイドローラーと第２ガイドローラーの上面間に幅広の帯体が緩く懸け渡され、帯体が両ガイドローラー間で垂下されて形成された空間に、本の投入窓口より投入された本が受け入れられるようにされたブックポストにおいて、
前記箱体の内部下方の前部に、前記帯体の繰出し装置と巻込み装置とが併設され、同後部に、第３ガイドローラーが設けられ、
前記帯体が、前記繰出し装置から前記第３ガイドローラー、前記第２ガイドローラー、前記第１ガイドローラーを順次巡って、前記巻込み装置にまで懸け渡され、
前記空間内の前後に所定の間隔をおかれた２つの鉛直面内において、本の所定の受入れ高さを検出する第１高さ検出器と第２高さ検出器とが、第１高さ検出器が本受入れ位置に近い後方に、第２高さ検出器が本受入れ位置より遠い前方になるようにして、それぞれ設けられ、
前記第１高さ検出器が、本の所定の受入れ高さを検出して第１回目の出力信号を出力したとき、前記繰出し装置が前記帯体を所定長繰り出し、前記第１高さ検出器が、本の所定の受入れ高さを再度検出して第２回目の出力信号を出力したとき、前記繰出し装置が前記帯体を所定長繰り出すとともに、前記巻込み装置が前記帯体を所定長巻き込むように前記繰出し装置および前記巻込み装置を制御し、かつ前記第１高さ検出器および前記第２高さ検出器が、本の所定の受入れ高さを検出してともに出力信号を出力したとき、満杯信号を出力する制御装置が設けられたことを特徴とするブックポストである。
【０００８】
請求項１に記載された発明は、前記のように構成されているので、箱体内において、第１高さ検出器および第２高さ検出器により本の存在を検出して、繰出し装置から第３ガイドローラー、第２ガイドローラー、第１ガイドローラーを順次巡って巻込み装置にまで懸け渡された帯体を、繰出し装置により所定長繰り出し、巻込み装置により所定長巻き込む操作を適宜組み合わせて行なうという比較的簡単な方法により、帯体により形成される本の受入れ空間を容易に複数回にわたって拡大していくことができるので、スペースを立体的に利用しつつ、最小のスペースで、大量の本を受け入れる空間を形成することができる。
【０００９】
また、すでに受け入れられた本は、その量が大量になると、帯体が所定長繰り出されることにより、垂下させられるが、次に投入される本は、すでに受け入れられた本の上に落下するので、落下距離は、それ程大きくならないので、本を損傷させることもない。
【００１０】
また、請求項２記載のように請求項１記載の発明を構成することにより、繰出し装置と第３ガイドローラーとの間に懸け渡された帯体の上方に、ローラー式帯体支持装置が備えられ、該ローラー式帯体支持装置により、第１ガイドローラーと第２ガイドローラーとの間に懸け渡されて垂下された帯体部分を支えることができるようにされているので、帯体を保護することができる。また、本の投入高さが低くされる分、本の投入によるショックを和らげることができる。
【００１１】
さらに、垂下された帯体の底部を該ローラー式帯体支持装置の上に広げて、投入本の受入れ空間間口を広げることができ、より多くの本の受入れが可能になる。さらに、多量の本を受け入れて重さを増した帯体が巻込み装置により巻き込まれるとき、ローラー式帯体支持装置のローラーが転動するので、その移送を円滑に行なうことができる。
【００１２】
また、請求項３記載のように請求項１または請求項２記載の発明を構成することにより、第１ガイドローラーと巻込み装置との間に懸け渡された帯体が、第１ガイドローラーとともに前方に倒されて、受け入れられた本を搬出することができるようにされているので、帯体の本の受け部に収容された本の搬出作業を大きく軽減できる。
【００１３】
また、請求項４記載のように請求項３記載の発明を構成することにより、受け入れられた本の搬出後、本を受け入れる最初の待機状態とする原点位置に帯体を戻す手段が設けられたので、第１ガイドローラーと第２ガイドローラーとの間に該帯体が緩く懸け渡されて垂下されて形成された空間に、本の投入窓口より投入された本が受け入れられるようにする作業が自動的に、きわめて簡単に行なえるようになる。
【００１４】
さらに、請求項５記載のように請求項１ないし請求項４のいずれかに記載の発明を構成することにより、箱体は、車輪を有する移動式箱体とされたので、投入本が満杯に収容されたブックポストを搬出作業場に容易に運搬することができる。
【００１５】
【発明の実施の形態】
以下、図１ないし図１１に図示される本発明の一実施形態について説明する。
図１は、本実施形態におけるブックポストの概略斜視図、図２は、ブックポストの本の受入れ機構部の概略斜視図、図３は、ブックポストに本が投入される状況を示す図、図４〜図８は、ブックポストに本が投入される他の状況を示す図、図９は、ブックポストに投入された本が取り出される状況を示す図である。
【００１６】
図１に図示されるように、本実施形態におけるブックポスト１は、直方体形状の箱体２内に、本の受入れ機構部10が収容されて構成されている。そして、該箱体２には、移動可能に車輪３が取り付けられ、また、受け入れられた本を取り出すとき開けられる扉４が、その一側に設けられている。
【００１７】
本の受入れ機構部10は、次のように構成されている。
図２および図３に図示されるように、箱体２の上方の前後部（図１において右下方部、左上方部）位置に、ガイドローラー11、12が回転自在に配置され、また、下方の後部位置に、ガイドローラー13が回転自在に配置され、さらに、下方の前部位置には、モータ組込みローラからなる繰出し装置14と、同じくモータ組込みローラからなる巻込み装置15とが、所定の間隔を開けて後、前に併設されている。
【００１８】
そして、これら繰出し装置14、ガイドローラー13、ガイドローラー12、ガイドローラー11、巻込み装置15との間には、幅広の帯体16が張設されている。この帯体16は、シート状の部分16a と、該シート状の部分16a の四隅に連結されたロープ16b とからなり、数１０kgにもおよぶ受入れ本の総重量に耐える強さを有している。
【００１９】
そして、該帯体16は、後述するように、本の受入れ量に応じて、前記繰出し装置14により繰り出され、もしくは前記巻込み装置15により巻き込まれて、ガイドローラー11、12間に多様な形態で張設され、その垂下された空間内に本の受け部を形成することになるが、常にそのシート状の部分16a の前後両側縁が、これらガイドローラー11、12から外れることがないような長さにされている。なお、帯体16は、その全長がシート状の部分16a により形成されてもよい。
【００２０】
前記繰出し装置14、前記巻込み装置15には、組み込まれたモータの回転数検出器と、原点位置スイッチ21、22とが設けられており、これら原点位置スイッチ21、22に対応させて、ロープ16b には、原点検出片23、24がそれぞれ設けられている。そして、後述するように、本の受入れ量が所定量に達したとき、自動的に帯体16を所定長だけ繰り出し、もしくは巻き込み、また、本が排出されたとき、帯体16を原点位置に巻き戻して、停止させることができるようになっている。
【００２１】
本の受入れ量が所定量に達したことを検出するために、２個の（第１）高さ検出器18、（第２）高さ検出器19が設けられている。これらの高さ検出器18、19は、帯体16のシート状の部分16a 上に、所定の高さに及んで、もしくは所定の高さと幅に及んで、本が受け入れられたかどうかを検出して、帯体16を前記のように駆動するために、所定の同じ高さ位置に、所定の前後間隔を開けて、図２および図３に図示されるように、高さ検出器18が後方に、高さ検出器19が前方に設けられ、実際には、光電検出器が用いられて、箱体２の両側壁の対応する位置に、それらの光源部と受光部とが取り付けられている。
【００２２】
図３に図示されているように、繰出し装置14とガイドローラー13との間に張設されるロープ16b の上面やや上方位置には、スポンジ等の弾性材料からなるローラーを複数個連ねて形成された帯体支持装置20が、箱体２の左右幅方向に指向して設けられている。なお、これらのローラーは、必ずしも弾性材料からなるものとされなくてもよい。
【００２３】
該帯体支持装置20は、帯体16がこの位置まで下げられて本が受け入れられるとき（図５、図７参照）、帯体16を支持して、これを保護するとともに、本の投入によるショックを和らげる。また、垂下された帯体16の底部を該帯体支持装置20の上に広げて、投入本の受入れ空間間口を広げることができ、より多くの本の受入れが可能になる。
【００２４】
さらに、該帯体支持装置20は、多量の本を受け入れて重さを増した帯体16が巻込み装置15により巻き込まれるとき（図６、図７参照）、該帯体支持装置20のローラーが転動するので、その移送を円滑に行なうことができる。
【００２５】
本実施形態におけるブックポスト１の投入本の受け部を形成する帯体16の繰出し、巻込み、原点位置戻しの駆動を制御する制御装置の構成が、図１０に図示されている。前記した繰出し装置（モータ組込みローラ）14、巻込み装置（モータ組込みローラ）15が、制御回路25の出力端にそれぞれ接続され、これら繰出し装置14、巻込み装置15にそれぞれ組み込まれたモータの回転数検出器Ａ、Ｂおよび原点位置スイッチ21、22、高さ検出器18、19が、制御回路25の入力端にそれぞれ接続されている。
【００２６】
次に、帯体16により形成された本の受け部に本が受け入れられる量に応じて、帯体16が繰出し、巻込み制御される状況を、図３〜図９を参照しながら、図１１のフローチャートに従って説明する。
先ず、ブックポスト１を図書館の外壁26に形成されたポスト窓口27の下に、図３に図示されるように設置し、繰出し装置14、巻込み装置15のローラの位置を原点位置に戻して、投入本の受入れ開始の待機状態となる（ステップ１、２）。
【００２７】
繰出し装置14、巻込み装置15のローラ位置の原点位置戻しは、戻し操作ボタンを押して、各モータを逆回転させれば、原点位置スイッチ21、22が、ロープ16の所定個所に取り付けられた原点検出片23、24を検出して、自動的に各モータを停止させることにより行なわれる。
【００２８】
次いで、投入本の量が増大して、窓口27側の高さ検出器18の高さ位置まで受け入れられると、該高さ検出器18がその量を検出して出力信号を出力し、繰出し装置14のモータ組込みローラを所定回転数回転させて、帯体16をその回転数に見合う長さ分だけ繰り出す（ステップ３、４）。
【００２９】
そうすると、帯体16が形成する本の受け部の底は下がって、帯体支持装置20に接する位置に来て停止する。これにより、受け部の容量は一挙に増大して、さらに多量の投入本の受入れが可能になる。このとき、不均等に堆積されていた本の山は、略平坦化する（図５参照）。
【００３０】
図５の状態において、さらに投入本の受入れが進むと、図６に図示された状態になり、再び窓口27側の高さ検出器18が、その高さ位置に本の存在を検出するに至る。そうすると、再び高さ検出器18が出力信号を出力し、繰出し装置14のモータ組込みローラを所定回転数回転させて、帯体16をその回転数に見合う長さ分だけ繰り出す（ステップ５、６）。
【００３１】
同時に、巻込み装置15のモータ組込みローラを所定回転数回転させて、帯体16をその回転数に見合う長さ分だけ巻き込む（ステップ７）。これにより、受け部の底は、ガイドローラー11の側に引っ張り上げられて、帯体支持装置20のローラーの転動により送られながら、その位置を同側にわずかに移動させる（図７参照）。
【００３２】
このとき、受け部に図６において右下がりに不均等に堆積されていた本の山は、逆に左下がりに不均等に堆積された状態になって、高さ検出器18の位置近傍に、再び投入本の受入れ可能領域が生成される。なお、高さ検出器19の位置近傍には、該高さ検出器19によりほとんど本が検出される高さにまで、本が堆積されている。
【００３３】
図７の状態において、さらに投入本の受入れが進むと、図８に図示された状態になり、再び窓口27側の高さ検出器18が、その高さ位置に本の存在を検出するに至る。そうすると、再び高さ検出器18が出力信号を出力し、やがて高さ検出器19も出力信号を出力し（この信号の方が先に出力される場合もある。）、両信号が合わさって満杯信号が出力されて、ブックポスト１による投入本の受入れが終了する（ステップ８〜１０）。
【００３４】
ブックポスト１が図８に図示された状態になって、満杯信号が出力され、投入本の受入れが終了すると、該ブックポスト１は、図書館の書架に連なる他の作業場所に運ばれて、受入れ本の搬出作業が行なわれる。この作業においては、図９に図示されるように、ガイドローラー11が取り付けられた箱体２の前部上方隅部分が、前壁とともに前方に倒伏させられて、繰出し装置14、巻込み装置15が、それぞれ繰出し、巻込み方向に駆動されて、受け部に収容された本が順次コンベヤ30上に送出される。
【００３５】
なお、満杯信号が出力されたとき、次の空のブックポスト１がポスト窓口27の下に設置されて、本の受入れが可能な状態になるまでの間、開閉扉28が閉鎖されるようにしておくのが望ましい。29は、投入本をブックポスト１の帯体16により形成される受け部に確実に案内するためのローラー付きガイドである。
【００３６】
本実施形態は、前記のように構成されているので、次のような効果を奏することができる。
移動箱体２内において、第１高さ検出器18および第２高さ検出器19により本の存在を検出して、繰出し装置14から第３ガイドローラー13、第２ガイドローラー12、第１ガイドローラー11を順次巡って巻込み装置15にまで懸け渡された帯体16を、繰出し装置14により所定長繰り出し、巻込み装置15により所定長巻き込む操作を適宜組み合わせて行なうという比較的簡単な方法により、帯体16により形成される本の受入れ空間を容易に複数回にわたって拡大していくことができるので、スペースを立体的に利用しつつ、最小のスペースで、大量の本を受け入れる空間を形成することができる。
【００３７】
また、すでに受け入れられた本は、その量が大量になると、帯体16が所定長繰り出されることにより、垂下させられるが、次に投入される本は、すでに受け入れられた本の上に落下するので、落下距離は、それ程大きくならないので、本を損傷させることもない。
【００３８】
また、繰出し装置14と第３ガイドローラー13との間に懸け渡された帯体16（ロープ16b ）の上面やや上方に、スポンジ材料からなるローラーを複数個連ねて形成された帯体支持装置20が備えられ、該帯体支持装置20により、第１ガイドローラー11と第２ガイドローラー12との間に懸け渡されて垂下された帯体部分（シート状の部分16a ）を支えることができるようにされているので、多量の本を受け入れて重さを増した帯体16を保護することができるとともに、本の投入によるショックを和らげことができる。
【００３９】
また、垂下された帯体部分の底部を該帯体支持装置20の上に広げて、投入本の受入れ空間間口を広げることができ、より多くの本の受入れが可能になる。さらに、多量の本を受け入れて重さを増した帯体16が巻込み装置14により巻き込まれるとき、帯体支持装置20のローラーが転動するので、その移送を円滑に行なうことができる。
【００４０】
また、第１ガイドローラー11と巻込み装置15との間に懸け渡された帯体16が、第１ガイドローラー11とともに前方に倒されて、受け入れられた本を搬出することができるようにされているので、帯体16の本の受け部に収容された本の搬出作業を大きく軽減することができる。
【００４１】
さらに、帯体16は、本の受入れ量に応じて、繰出し装置14により繰り出され、もしくは巻込み装置15により巻き込まれて、ガイドローラー11、12間に多様な形態で張設されるとき、常にそのシート状の部分16a の前後両側縁が、これらガイドローラー11、12から外れることがないような長さにされているので、帯体16のシート状の部分16a を本の受け部の形成に必要な最小限の長さにして、そのコストダウンを図ることができるとともに、繰出し装置14および巻込み装置15による繰出し、巻込み操作を容易にすることができる。
【００４２】
以上の実施形態の説明においては、ブックポスト１は、移動箱体２とされ、その底部の四隅に車輪３が取り付けられたものとされたが、必ずしもこれに限定されず、車輪を備えないものとされてもよい。
【００４３】
また、帯体16は、シート状の部分16a とロープ16b とからなるものとされたが、全長がシート状に形成されてもよく、このシート状のものに代えて、網状のものとされてもよい。さらに、これらシート状のもの、あるいは網状のものは、必要に応じて、補強用の縦条（紐もしくはロープ）が、適数個所に組み込まれてもよい。
【図面の簡単な説明】
【図１】  本発明の一実施形態におけるブックポストの概略斜視図である。
【図２】  図１の実施形態において、ブックポストの本の受入れ機構部の概略斜視図である。
【図３】  図１の実施形態において、ブックポストに本が投入される状況を示す図である。
【図４】  同ブックポストに本が投入される他の状況を示す図である。
【図５】  同ブックポストに本が投入されるさらに他の状況を示す図である。
【図６】  同ブックポストに本が投入されるさらに他の状況を示す図である。
【図７】  同ブックポストに本が投入されるさらに他の状況を示す図である。
【図８】  同ブックポストに本が投入されるさらに他の状況を示す図である。
【図９】  図１の実施形態において、ブックポストに投入された本が取り出される状況を示す図である。
【図１０】  図１の実施形態において、制御装置の構成を示す図である。
【図１１】  図１の実施形態において、フローチャートを示す図である。
【図１２】  従来例を示す図である。
【図１３】  図１２の従来例において、本が満杯に受け入れられた状態を示す図である。
【図１４】  他の従来例を示す図である。
【図１５】  図１４の従来例において、本が満杯に受け入れられた状態を示す図である。
【符号の説明】
１…ブックポスト、２…移動箱体、３…車輪、４…扉、10…本受入れ機構部、11、12、13…ガイドローラー、14…繰出し装置、15…巻込み装置、16…帯体、16a …シート状部分、16b …ロープ、18、19…高さ検出器、20…帯体支持装置、21、22…原点位置スイッチ、23、24…原点検出片、25…制御回路、26…外壁、27…ポスト窓口、28…開閉扉、29…ガイド、30…コンベヤ。
【図１】
0003809884.tif 000002
【図２】
0003809884.tif 000003
【図３】
0003809884.tif 000004
【図４】
0003809884.tif 000005
【図５】
0003809884.tif 000006
【図６】
0003809884.tif 000007
【図７】
0003809884.tif 000008
【図８】
0003809884.tif 000009
【図９】
0003809884.tif 000010
【図１０】
0003809884.tif 000011
【図１１】
0003809884.tif 000012
【図１２】
0003809884.tif 000013
【図１３】
0003809884.tif 000014
【図１４】
0003809884.tif 000015
【図１５】
0003809884.tif 000016